(57)【要約】      （修正有）【課題】撮影時の構図確認中に電源がオフになったり、撮影終了後に電源がオフになるまで時間を要したりするので操作性が低下するという問題を解決する。【解決手段】１ショットモードでは、撮影前の液晶モニタ５の表示停止と電源切断までを３０秒、撮影後の液晶モニタ５の表示停止までを３秒、電源切断までの時間を５秒とする。モード選択後から１回目の撮影の実行まで、３０秒以上操作されない場合は、液晶モニタ５の表示停止および電源切断を行なう。撮影が行われた場合、撮影画像を液晶モニタ５に３秒間、再生表示する。操作されない状態で３秒間経過した場合は、液晶モニタ５の表示を停止する。液晶モニタ５の表示停止後で、５秒以上操作がない時は、電源切断を行なう。撮影後５秒が経過するまでに、操作されると、液晶モニタ５の表示を開始し、管理時間を撮影前と同じ３０秒とする。【選択図】図２
2007318535.tif 000002
【特許請求の範囲】
【請求項１】
撮影を指示する指示手段と、
撮像素子で撮像された画像を表示する表示手段と、
各種操作部材の操作が所定時間行われないとき前記表示手段による画像の表示を停止する停止手段と、
前記撮影指示の前後で前記所定時間を変更する時間制御手段とを備えることを特徴とするカメラ。
【請求項２】
請求項１に記載のカメラにおいて、
前記停止手段は、さらに前記撮像素子による撮像も停止することを特徴とするカメラ。
【請求項３】
撮影を指示する指示手段と、
電源を投入する電源投入手段と、
各種操作部材の操作が所定時間行われないとき前記電源を切断する電源切断手段と、
前記撮影指示の前後で前記所定時間を変更する時間制御手段とを備えることを特徴とするカメラ。
【請求項４】
請求項１または３に記載のカメラにおいて、
複数の撮影モードの中からいずれかを選択するモード選択手段をさらに備え、
前記時間制御手段は、第一の撮影モードが選択された場合に前記所定時間を前記撮影指示の前後で異なる値とし、前記第一の撮影モードとは異なる撮影モードが選択された場合には前記所定時間を前記撮影指示の前後で同一の値とすることを特徴とするカメラ。
【請求項５】
請求項４に記載のカメラにおいて、
前記第一の撮影モードは、被写体１枚だけの撮影を意図する場合に選択されるモードであることを特徴とするカメラ。
【請求項６】
請求項１または２に記載のカメラにおいて、
沈胴式のレンズと、
撮像した画像を所定時間フリーズ画として表示した後に前記レンズを沈胴する沈胴制御手段とを有し、
前記停止手段は、前記時間制御手段により前記撮影指示後に変更された前記所定時間が経過した後に電源を切断することを特徴とするカメラ。
【請求項７】
請求項１乃至６のいずれか一項に記載のカメラにおいて、
前記所定時間は、前記撮影指示の前よりも撮影指示の後の方が短い時間であることを特徴とするカメラ。
【発明の詳細な説明】
【技術分野】
【０００１】
本発明は、電源や表示などのオートオフ機能を備えるカメラに関する。
【背景技術】
【０００２】
省電力化のために、カメラの操作有無に応じて自動的に電源をオフするオートパワーオフ機能を搭載した従来のカメラとして、グリップセンサの感知状態に応じてオートパワーオフの時間を変更するものが知られている（たとえば、特許文献１）。
【特許文献１】特開２００３−３１９２２１号公報
【発明の開示】
【発明が解決しようとする課題】
【０００３】
しかしながら、撮影時の構図確認中に電源がオフになったり、撮影終了後に電源がオフになるまで時間を要したりするので操作性が低下するという問題がある。
【課題を解決するための手段】
【０００４】
請求項１の発明によるカメラは、撮影を指示する指示手段と、撮像素子で撮像された画像を表示する表示手段と、各種操作部材の操作が所定時間行われないとき表示手段による画像の表示を停止する停止手段と、撮影指示の前後で所定時間を変更する時間制御手段とを備えることを特徴とする。
請求項２に記載の発明は、請求項１に記載のカメラにおいて、停止手段は、さらに撮像素子による撮像も停止することを特徴とする。
請求項３の発明によるカメラは、撮影を指示する指示手段と、電源を投入する電源投入手段と、各種操作部材の操作が所定時間行われないとき電源を切断する電源切断手段と、撮影指示の前後で所定時間を変更する時間制御手段とを備えることを特徴とする。
請求項４に記載の発明は、請求項１または３に記載のカメラにおいて、複数の撮影モードの中からいずれかを選択するモード選択手段をさらに備え、時間制御手段は、第一の撮影モードが選択された場合に所定時間を撮影指示の前後で異なる値とし、第一の撮影モードとは異なる撮影モードが選択された場合には所定時間を撮影指示の前後で同一の値とすることを特徴とする。
請求項５に記載の発明は、請求項４に記載のカメラにおいて、第一の撮影モードは、被写体１枚だけの撮影を意図する場合に選択されるモードであることを特徴とする。
請求項６に記載の発明は、請求項１または２に記載のカメラにおいて、沈胴式のレンズと、撮像した画像を所定時間フリーズ画として表示した後にレンズを沈胴する沈胴制御手段とを有し、停止手段は、時間制御手段により撮影指示後に変更された所定時間が経過した後に電源を切断することを特徴とする。
請求項７に記載の発明は、請求項１乃至６のいずれか一項に記載のカメラにおいて、所定時間は、撮影指示の前よりも撮影指示の後の方が短い時間であることを特徴とする。
【発明の効果】
【０００５】
本発明のカメラによれば、撮影指示の前後において、各種操作部材が操作されない場合に画像を継続して表示する時間や、撮像を停止する時間や、電源を切断する時間を変更することができる。
【発明を実施するための最良の形態】
【０００６】
―第一の実施の形態―
図１(ａ)は第一の実施の形態のコンパクト・デジタルカメラの上面図、図１(ｂ)は背面図である。カメラ本体１には沈胴式の撮影レンズ２が取り付けられている。カメラ本体１の上面には電源スイッチ３と、レリーズボタン４とが設けられている。また、カメラ本体１の背面には液晶モニタ５と、撮影モードの設定操作を行うモードダイヤル６とが設けられている。撮影モードには、単写モードや連写モード、動画モード、１ショットモードなどが含まれる。１ショットモードは、１枚の撮影を終えた後に、短時間で液晶モニタ５の表示を停止して、電源を切断するモードである。
【０００７】
図２は第一の実施の形態のコンパクト・デジタルカメラの回路構成を示すブロック図である。
電源スイッチ３がオン操作されると撮影モードとなり、撮影レンズ２を通過して入射した被写体光が撮像素子１０へ導かれ、その撮像面上に被写体像が結像する。撮像素子１０は、画素に対応する複数の光電変換素子を備えたＣＣＤやＣＭＯＳイメージセンサによって構成され、撮像面上に結像されている被写体像を撮像し、被写体像の明るさに応じたカラー光電変換信号を出力する。Ａ／Ｄ変換回路１１は、ＡＦＥ回路などで行なったアナログ処理後の撮像信号をデジタル信号に変換する。
【０００８】
画像処理部１２は、たとえばＡＳＩＣとして構成され、撮像素子１０からの画像信号に対してホワイトバランス調整や彩度補正、階調補正などの画像処理を施す。ＣＰＵ１４は、各ブロックから出力される信号を入力して所定の演算を行い、演算結果に基づく制御信号を各ブロックへ出力する。ＣＰＵ１４は、画像処理部１２から入力した画像データをＪＰＥＧなどの所定の方式により圧縮処理を行い、ＥＸＩＦなどの形式で記録媒体１６へ記録する。
【０００９】
表示画像作成回路１３は、画像処理後の画像信号を用いて、液晶モニタ５に撮像画像を表示するための表示データを作成するとともに、記録媒体１６から読み出した画像データから表示データを生成する。液晶モニタ５はＬＣＤなどによって構成され、表示データによる画像を表示する。モータ１８は、レンズ鏡筒を繰り出し、および沈胴する。
【００１０】
レリーズボタン４の押下操作に連動してオン／オフする半押しスイッチ４７および全押しスイッチ４８は、それぞれオン信号もしくはオフ信号をＣＰＵ１４へ出力する。
【００１１】
モードダイヤル６の操作により、いずれかの撮影モードが選択されると、モード選択信号がＣＰＵ１４へ出力される。ＣＰＵ１４は、モード選択信号に応じた撮影指示を行うとともに、各種操作部材から操作信号を入力しない時間、すなわち各種操作部材が操作されない時間を計測する。計測時間が所定の管理時間以上経過した場合は、液晶モニタ５の表示停止や電源の切断を行なう。
【００１２】
撮影モードとして単写モードや連写モード、動画モードなどが選択された場合は、ＣＰＵ１４は、管理時間を、たとえば３０秒として設定する。撮影の前後に関わらず、各種操作部材が３０秒以上操作されない場合は、液晶モニタ５の表示停止および電源切断を行なう。
【００１３】
１ショットモードが選択された場合は、ＣＰＵ１４は管理時間を次のように設定する。すなわち、撮影前の液晶モニタ５の表示停止および電源切断までの管理時間を３０秒とし、撮影後の液晶モニタ５の表示停止までの管理時間を３秒、および電源切断までの管理時間を５秒とする。モード選択後から１回目の撮影が行われるまでは、前述と同様に、ＣＰＵ１４は、管理時間を３０秒として設定して、各種操作部材が３０秒以上操作されない場合は、液晶モニタ５の表示停止および電源切断を行なう。
【００１４】
撮影が行われた後には、撮影画像がフリーズ画として液晶モニタ５に一定時間、たとえば３秒間、再生表示される。各種操作部材が操作されない状態で管理時間である３秒間が経過した場合は、撮像素子１０による撮像は継続したまま、液晶モニタ５の表示を停止した後に、撮影レンズ２を沈胴して格納する。液晶モニタ５の表示停止後に、各種操作部材が操作されない状態で管理時間である５秒間が経過した場合は、電源切断を行なう。撮影後の管理時間である５秒が経過するまでに、ＣＰＵ１４にいずれかの操作部材からの操作信号が入力されると、液晶モニタ５の表示を再開するとともに、管理時間を撮影前と同じ３０秒に設定する。
【００１５】
以上で説明した第一の実施の形態におけるカメラの動作について、図３に示すフローチャートを用いて説明する。図３の各処理を行なうプログラムはＣＰＵ１４内のメモリ（不図示）に格納されており、カメラの電源スイッチ３により電源が投入されると起動される。
ステップＳ１０１において、撮影モードが１ショットモードであるか否かを判定する。１ショットモードの場合は、ステップＳ１０１が肯定判定されてステップＳ１０２へ進む。１ショットモード以外の撮影モードの場合は、ステップＳ１０１が否定判定されてステップＳ１２４へ進む。
【００１６】
ステップＳ１０２において、前述したように管理時間を設定する。ステップＳ１０３においては、不図示のタイマを起動し、各操作部材から操作信号を入力していない時間の計測を開始してステップＳ１０４へ進む。ステップＳ１０４において、操作部材からの操作入力があったか否かを判定する。操作信号を入力した場合は、ステップＳ１０４が肯定判定されてステップＳ１０７へ進む。操作信号を入力しない場合は、ステップＳ１０４が否定判定されてステップＳ１０５へ進む。
【００１７】
ステップＳ１０５において、ステップＳ１０３で起動したタイマにより計測された時間が、管理時間である３０秒を超えたか否かを判定する。３０秒経過した場合は、ステップＳ１０５が肯定判定されてステップＳ１０６へ進む。ステップＳ１０６において、液晶モニタ５の表示停止、および電源切断を行なって一連の処理を終了する。３０秒経過していない場合は、ステップＳ１０５が否定判定されてステップＳ１０４へ戻る。
【００１８】
ステップＳ１０４が肯定されて進んだステップＳ１０７においては、ステップＳ１０４にて起動したタイマの計測秒時を０にリセットして、再び時間計測を開始してステップＳ１０８へ進む。ステップＳ１０８において、レリーズボタン４が全押し操作され、撮影指示が行われたか否かを判定する。全押しスイッチ４８からオン信号を入力した場合は、ステップＳ１０８が肯定判定されてステップＳ１０９へ進む。全押しスイッチ４８からオン信号を入力しない場合は、ステップＳ１０８が否定判定されてステップＳ１０４へ戻る。
【００１９】
ステップＳ１０９において、前述したように撮像素子１０から掃き出された蓄積電荷をＡ／Ｄ変換回路１１によりデジタル信号に変換し、このデジタル信号に対して画像処理回路１２により画像処理を施す。画像処理の施された画像データを所定の形式で圧縮してから記録媒体１６に保存して、ステップＳ１１０へ進む。
【００２０】
ステップＳ１１０において、表示画像作成回路１３により、ステップＳ１０９で生成された画像データを液晶モニタ５に再生画像として表示するとともに、前述のタイマをリセットし、各操作部材から操作信号を入力していない時間の計測を開始してステップＳ１１３へ進む。
【００２１】
ステップＳ１１３において、ステップＳ１０４と同様にして操作信号の入力があったか否かを判定する。操作信号を入力した場合は、ステップＳ１１３が肯定判定されてステップＳ１０２へ戻る。操作信号を入力しない場合は、ステップＳ１１３が否定判定されてステップＳ１１４へ進む。
【００２２】
ステップＳ１１４において、ステップＳ１１０で開始したタイマによる計測時間が、再生表示時間である３秒を超えたか否かを判定する。３秒経過した場合は、ステップＳ１１４が肯定判定されてステップＳ１１５へ進む。３秒経過していない場合は、ステップＳ１１４が否定判定されてステップＳ１１３へ戻る。
【００２３】
ステップＳ１１５において、前述のように撮像動作は継続したまま、液晶モニタ５の表示を停止するとともに、タイマをリセットし、各操作部材から操作信号を入力していない時間の計測を開始して、ステップＳ１１６へ進む。ステップＳ１１６において、モータ１８を駆動して撮影レンズ２を沈胴してステップＳ１１９へ進む。
【００２４】
ステップＳ１１９において、ステップＳ１０４と同様に、操作部材からの操作入力があったか否かを判定する。操作信号がＣＰＵ１４に入力した場合は、ステップＳ１１９が肯定判定されてステップＳ１２０へ進む。操作信号を入力しない場合は、ステップＳ１１９が否定判定されてステップＳ１２２へ進む。
【００２５】
ステップＳ１２０において、ステップＳ１１６で沈胴した撮影レンズ２を繰り出してステップＳ１２１へ進む。ステップＳ１２１において、ステップＳ１１５で停止した液晶モニタ５をオンしてステップＳ１０２へ戻る。
【００２６】
ステップＳ１２２においては、ステップＳ１１５で開始したタイマによる計測時間が、管理時間である５秒を超えたか否かを判定する。５秒経過した場合は、ステップＳ１２２が肯定判定されてステップＳ１２３へ進む。５秒経過していない場合は、ステップＳ１２２が否定判定されてステップＳ１１９へ戻る。ステップＳ１２３において、電源切断を行なって一連の処理を終了する。
【００２７】
ステップＳ１０１が否定判定されて進んだステップＳ１２４では、管理時間を３０秒に設定してステップＳ１２５へ進む。ステップＳ１２５（計時開始）からステップＳ１３２（再生画像表示）までの各処理は、ステップＳ１０３（計時開始）からステップＳ１１０（再生画像表示）までの各処理と同様の処理を行なう。ステップＳ１３３では、ステップＳ１１４と同様に再生画像表示開始から所定時間である３秒が経過したか否かを判定する。３秒経過した場合は、ステップＳ１３３が肯定判定されてステップＳ１３４へ進み、３秒経過していない場合は、ステップＳ１３３が否定判定され、所定時間が経過するまで待機する。ステップＳ１３４において、表示画像作成回路１３により、液晶モニタ５にスルー画を表示してステップＳ１２４へ戻る。
【００２８】
以上で説明した第一の実施の形態のカメラによれば、以下の作用効果が得られる。
（１）従来から知られている単写モード、連写モードに加えて、１枚だけの撮影を意図する場合にカメラを使用する１ショットモードでの撮影を可能とした。１ショットモードでは、撮影前は、非操作時間が３０秒を越えると液晶モニタ５と電源をオフし、撮影後は、フリーズ画表示を３秒行い、液晶モニタ５の表示停止後、非操作時間が５秒を越えると液晶モニタ５と電源をオフするようにした。したがって、カメラ使用者は、撮影後に５秒待つだけで電源が自動的にオフされるので、従来のように電源を手動でオフする煩雑さから解放される。
【００２９】
（２）１ショットモードで撮影した画像をフリーズ画として３秒間再生した後、鏡筒を沈胴し、液晶モニタ５の表示停止後、非操作時間が５秒経過したら電源をオフするようにした。したがって、撮影後にフリーズ画で確認した後、５秒後に電源がオフする前にカメラをポケットなどにしまうことが可能となり、使い勝手が向上する。
このように、第１の実施の形態のカメラでは、レリーズスイッチ４による撮影指示の前では、液晶モニタ５および電源の非操作オフ時間を３０秒とし、撮影指示後は、電源の非操作オフ時間を５秒とした。
【００３０】
―第二の実施の形態―
第二の実施の形態によるカメラにおいては、１ショットモード以外の撮影モードで撮影指示の前後における管理時間を変更する。
ＣＰＵ１４は、カメラの電源が投入されると、管理時間を次のように設定する。すなわち、撮影前の液晶モニタ５の表示停止および電源切断までの管理時間を３０秒とし、撮影後の液晶モニタ５の表示停止までの管理時間を５秒、および電源切断までの管理時間を１０秒とする。撮影が行われる前に各種操作部材が３０秒以上操作されない場合は、液晶モニタ５の表示停止および電源切断を行なう。撮影が行われた後には、撮影画像が液晶モニタ５に一定時間、たとえば３秒間、再生表示される。各種操作部材が操作されない状態で３秒間経過した場合は、表示画像作成回路１３により、液晶モニタ５にスルー画を表示する。
【００３１】
スルー画表示中に、各種操作部材が、たとえば５秒間操作されない場合は、スルー画表示を停止、すなわち撮像素子１０による撮像動作を停止して、液晶モニタ５の表示を停止した後に、撮影レンズ２を沈胴して格納する。液晶モニタ５の表示停止後においても各種操作部材が操作されず、管理時間である１０秒が経過した場合は、電源を切断する。撮影後の管理時間である１０秒が経過するまでに、ＣＰＵ１４がいずれかの操作部材からの操作信号を入力すると、液晶モニタ５の表示を開始するとともに、管理時間を撮影前と同じ３０秒に設定する。
【００３２】
以上で説明した第二の実施の形態におけるカメラの動作について、図４に示すフローチャートを用いて説明する。図４の各処理を行なうプログラムはＣＰＵ１４内のメモリ（不図示）に格納されており、カメラの電源スイッチ３により電源が投入されると起動される。なお、図３に示すフローチャートと同様の処理を行なうものについては同一の処理番号を付し、相違点を主に説明する。
電源投入後、撮影モードの判定を行わず、ステップＳ１０２において管理時間を前述のように設定して、図３のフローチャートと同様にしてステップＳ１１４まで進む。ステップＳ１１４において、液晶モニタ５に撮影画像が再生表示されてから、操作入力が行なわれずに所定時間の３秒が経過した場合は、ステップＳ１１４が肯定判定されてステップＳ３０１へ進む。ステップＳ３０１において、表示画像作成回路１３により、液晶モニタ５にスルー画を表示するとともに、タイマをリセットし、各操作部材から操作信号を入力していない時間の計測を開始して、ステップＳ３０２へ進む。
【００３３】
ステップＳ３０４において、操作部材からの操作入力があったか否かを判定する。ＣＰＵ１４に操作信号が入力された場合は、ステップＳ３０４が肯定判定されてステップＳ１０２へ戻る。操作信号が入力されない場合は、ステップＳ３０４が否定判定されてステップＳ３０５へ進む。
【００３４】
ステップＳ３０５において、ステップＳ３０１で開始したタイマによる計測時間が、５秒を超えたか否かを判定する。５秒経過した場合は、ステップＳ３０５が肯定判定されてステップＳ１１５Ａへ進む。５秒経過していない場合は、ステップＳ３０５が否定判定されてステップＳ３０４へ戻る。ステップＳ１１５Ａでは、前述のように撮像動作を停止して、液晶モニタ５の表示を停止するとともに、タイマをリセットし、各操作部材から操作信号を入力していない時間の計測を開始して、ステップＳ１１６へ進む。
【００３５】
ステップＳ１１６でレンズ沈胴の処理を実行して、ステップＳ１１９に進むと、ステップＳ１０４と同様に、操作部材からの操作入力があったか否かを判定する。ＣＰＵ１４に操作信号が入力された場合は、ステップＳ１１９が肯定判定されてステップＳ１２０へ進む。操作信号が入力されない場合は、ステップＳ１１９が否定判定されてステップＳ３０６へ進む。
【００３６】
ステップＳ３０６においては、ステップＳ１１５Ａで開始したタイマによる計測時間が、管理時間である１０秒を超えたか否かを判定する。１０秒経過した場合は、ステップＳ３０６が肯定判定されてステップＳ１２３へ進む。１０秒経過していない場合は、ステップＳ３０６が否定判定されてステップＳ１１９へ戻る。ステップＳ１２３において、電源切断を行なって一連の処理を終了する。
【００３７】
以上で説明した第二の実施の形態のカメラによれば、次の作用効果が得られる。
（１）レリーズスイッチ４による撮影指示の前では、液晶モニタ５および電源の非操作オフ時間を３０秒とし、撮影指示後は、液晶モニタ５の非操作オフ時間を５秒に、電源の非操作オフ時間は１０秒とした。したがって、撮影指示前後で非操作オフの管理時間を変更することにより、ユーザのカメラ使用状況に適した時間で電源や液晶モニタ５をオフすることができ、使い勝手が向上する。
【００３８】
以上で説明した第一の実施の形態のカメラを以下のように変形できる。
（１）第一の実施の形態のカメラでは、撮影指示前にＣＰＵ１４が操作信号を３０秒間入力しない場合は、液晶モニタ５の表示停止と電源切断を同時に行なうものとしたが、３０秒よりも短い時間、たとえば１０秒間で液晶モニタ５の表示停止を先に行なってから、３０秒経過後に電源を切断するようにしてもよい。この場合のフローチャートを図５に示す。なお、図３に示すフローチャートと同様の処理を行なうものについては同一の処理番号を付し、相違点を主に説明する。
【００３９】
ステップＳ１０２において、撮影前の管理時間を１０秒で液晶モニタ５の表示停止、３０秒で電源切断と設定して、ステップＳ１０３、ステップＳ１０４と進む。ステップＳ１０４が否定判定されて進んだステップＳ２０１において、ステップＳ１０３で起動したタイマによる計測時間が、１０秒を越えたか否かを判定する。１０秒経過した場合は、ステップＳ２０１が肯定判定されてステップＳ２０２へ進み、液晶モニタ５の表示を停止する。１０秒経過しない場合は、ステップＳ２０１が否定判定されてステップＳ１０４へ戻る。ステップＳ２０３において、ステップＳ１０４と同様に、操作部材からの操作入力があったか否かを判定する。ＣＰＵ１４に操作信号が入力された場合は、ステップＳ２０３が肯定判定されてステップＳ１２１へ進む。操作信号が入力されない場合は、ステップＳ２０３が否定判定されてステップＳ２０４へ進む。
【００４０】
ステップＳ２０４において、ステップＳ１０３で起動したタイマにより計測された時間が、管理時間である３０秒を超えたか否かを判定する。３０秒経過した場合は、ステップＳ２０４が肯定判定されてステップＳ２０５へ進む。３０秒経過していない場合は、ステップＳ２０４が否定判定されてステップＳ２０３へ戻る。ステップＳ２０５において、電源切断を行なって一連の処理を終了する。
【００４１】
（２）第一の実施の形態の説明においては、撮影後のフリーズ画表示後、５秒経過してから電源をオフするもの、第二の実施の形態の説明においては、撮影後のスルー画表示停止後、５秒経過してから電源をオフするものとして説明したが、撮影画像の再生表示が終了すると直ちに液晶モニタ５の表示を停止して、電源を切断してもよい。この場合のフローチャートを図６に示す。なお、図３に示すフローチャートと同様の処理を行なうものについては同一の処理番号を付し、相違点を主に説明する。すなわち、ステップＳ１１４が肯定判定されて進んだステップＳ４０１において、液晶モニタ５の表示停止、および電源切断を行なって一連の処理を終了する。
【００４２】
（３）撮影指示後の管理時間を、撮影者が変更可能としてもよい。
（４）第一の実施の形態において、モードダイヤル６により１ショットモードを設定するものとして説明したが、図７（ａ）に示す第二の電源スイッチ１５でカメラを起動することにより１ショットモードに設定するようにしてもよい。または、図７（ｂ）に示す１ショット指定スイッチ１７のような専用の操作スイッチを押下操作しながらレリーズボタン４を押下操作することにより、１ショットモードを設定するものであってもよい。
【００４３】
また、本発明の特徴を損なわない限り、本発明は上記実施の形態に限定されるものではなく、本発明の技術的思想の範囲内で考えられるその他の形態についても、本発明の範囲内に含まれる。すなわち、撮影指示の前後で電源オフ、モニタオフの時間を変更するものであれば、どのようなカメラでもよい。
【図面の簡単な説明】
【００４４】
【図１】本発明の実施の形態におけるカメラの外観図であり、（ａ）に上面図を示し、（ｂ）に背面図を示す。
【図２】本発明の実施の形態におけるカメラの回路構成を説明するブロック図である。
【図３】第一の実施の形態におけるカメラの動作を説明するフローチャートである。
【図４】第二の実施の形態におけるカメラの動作を説明するフローチャートである。
【図５】撮影指示前に操作入力がされない場合に、液晶モニタの表示停止までの時間と電源切断までの時間とを変更する場合の動作を説明するフローチャートである。
【図６】撮影後に直ちに液晶モニタの表示停止と電源切断とを行なう場合の動作を説明するフローチャートである。
【図７】１ショットモードを起動する操作部材を説明する図であり、（ａ）に第二の電源スイッチの配置を示し、（ｂ）に１ショット指定スイッチの配置を示す。
【符号の説明】
【００４５】
３    電源スイッチ        ４  レリーズボタン
５    液晶モニタ          ６  モードダイヤル
１４  ＣＰＵ
【図１】
2007318535.tif 000003
【図２】
2007318535.tif 000004
【図３】
2007318535.tif 000005
【図４】
2007318535.tif 000006
【図５】
2007318535.tif 000007
【図６】
2007318535.tif 000008
【図７】
2007318535.tif 000009